【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  複数の表示面を有する立体表示手段と、
前記立体表示手段に表示する画像を発生する画像発生手段と、
前記立体表示手段に表示された画像の少なくとも一部を指定可能な画像指定手段と、
前記発生された画像のうち、前記画像指定手段により指定された画像部分を、前記複数の表示面のうち一の表示面に表示すると共に、前記発生された画像のうち前記一の表示面に表示されない画像部分を、前記複数の表示面のうち他の表示面に表示するように前記立体表示手段を制御する制御手段と
を備えたことを特徴とする表示装置。
【請求項２】  前記画像指定手段は、所定項目についての判定結果又は条件分岐に基づいて前記画像部分を指定可能であることを特徴とする請求項１に記載の表示装置。
【請求項３】  前記画像指定手段は、外部入力操作によって前記画像部分を指定可能であることを特徴とする請求項１に記載の表示装置。
【請求項４】  前記画像指定手段は、ポインティングデバイス、前記立体表示手段に重ねて配置されたタッチパネル、及び空間センサーのうち少なくとも一つを有することを特徴とする請求項３に記載の表示装置。
【請求項５】  前記制御手段は、前記画像指定手段により指定された画像部分及びこれと関連性を有する画像部分を前記一の表示面に表示するように前記立体表示手段を制御することを特徴とする請求項１から４のいずれか一項に記載の表示装置。
【請求項６】  前記画像指定手段により指定された画像部分に対応して次に前記複数の表示面の夫々に表示すべき画像を、前記画像発生手段が発生する画像から選択する画像選択手段を更に備えており、
前記制御手段は、前記画像指定手段により指定された画像部分に代えて又は加えて、前記選択された画像の少なくとも一部を前記一の表示面に表示するように前記立体表示手段を制御することを特徴とする請求項１から５のいずれか一項に記載の表示装置。
【請求項７】  前記画像指定手段は、前記一の表示面に表示された画像部分の少なくとも一部を更に指定可能であると共に前記他の表示面に表示された画像部分を指定不可能であることを特徴とする請求項１から６のいずれか一項に記載の表示装置。
【請求項８】  前記制御手段は、前記画像指定手段により指定された画像部分に対応する操作信号を発生することを特徴とする請求項１から７のいずれか一項に記載の表示装置。
【請求項９】  前記制御手段は、初期状態として、前記画像発生手段により発生される画像の一部を、前記一の表示面に表示するように前記立体表示手段を制御することを特徴とする請求項１から８のいずれか一項に記載の表示装置。
【請求項１０】  複数の表示面を有する立体表示手段と、
前記立体表示手段に表示する画像を発生する画像発生手段と、
前記発生された画像のうち、所定項目についての判定結果又は条件分岐に基づいて決定された画像部分を、前記複数の表示面のうち一の表示面に表示すると共に、前記発生された画像のうち前記一の表示面に表示されない画像部分を、前記複数の表示面のうち他の表示面に表示するように前記立体表示手段を制御する制御手段と
を備えたことを特徴とする表示装置。
【請求項１１】  前記一の表示面は、前記複数の表示面のうち前記観察者から見て手前に配置されていることを特徴とする請求項１から１０のいずれか一項に記載の表示装置。
【請求項１２】  前記画像指定手段により指定された画像部分は、前記一の表示面によって、輝度が高い状態で表示されることを特徴とする請求項１から１１のいずれか一項に記載の表示装置。
【請求項１３】  前記画像指定手段により指定された画像部分は、前記一の表示面によって、所定の色彩を付して表示されることを特徴とする請求項１から１１のいずれか一項に記載の表示装置。
【請求項１４】  前記画像指定手段により指定された画像部分は、前記一の表示面によって、所定の倍率で拡大されて表示されることを特徴とする請求項１から１１のいずれか一項に記載の表示装置。
【請求項１５】  前記画像指定手段により指定された画像部分は、前記一の表示面によって、所定の周期で点滅して表示されることを特徴とする請求項１から１１のいずれか一項に記載の表示装置。
【請求項１６】  前記画像指定手段により指定されない画像部分は、前記他の表示面によって、輝度の低い状態で表示されることを特徴とする請求項１から１５のいずれか一項に記載の表示装置。
【請求項１７】  前記画像指定手段により指定されない画像部分は、前記他の表示面によって、所定の色彩を付して表示されることを特徴とする請求項１から１５のいずれか一項に記載の表示装置。
【請求項１８】  前記画像指定手段により指定されない画像部分は、前記他の表示面によって、所定の倍率で縮小されて表示されることを特徴とする請求項１から１５のいずれか一項に記載の表示装置。
【請求項１９】  前記複数の表示面のうち、少なくとも最も後方に配置された表示面を除く表示面は、光透過性を有する表示デバイスからなることを特徴とする請求項１から１８のいずれか一項に記載の表示装置。
【請求項２０】  前記半透明の表示デバイスは、液晶表示デバイス又はＥＬ(Electro-Luminescence)表示デバイスであることを特徴とする請求項１９に記載の表示装置。
【請求項２１】  前記複数の表示面は、ハーフミラーにより合成される表示面を含むことを特徴とする請求項１から２０のいずれか一項に記載の表示装置。
【請求項２２】  前記立体表示手段は、観察者の視線上に相前後して設けられており前記複数の表示面のうち対応する一つの表示面を夫々有する複数の表示手段からなることを特徴とする請求項１から２１のいずれか一項に記載の表示装置。
【請求項２３】  前記立体表示手段は、前記複数の表示面として観察者の左眼用に表示される画像と該観察者の右眼用に表示される画像とを含んでなる、バリア方式、スリット方式及びピンホール方式のうちいずれか一方式の立体表示手段からなることを特徴とする請求項１から２１のいずれか一項に記載の表示装置。
【請求項２４】  前記立体表示手段は、前記複数の表示面として観察者の左眼用に表示される画像と該観察者の右眼用に表示される画像とを含んでなる、レンチキュラ方式の立体表示手段からなることを特徴とする請求項１から２１のいずれか一項に記載の表示装置。
【請求項２５】  複数の表示面を有する立体表示手段と該立体表示手段に表示された画像の少なくとも一部を指定可能な画像指定手段とを備えた表示装置における表示方法であって、
前記立体表示手段に表示する画像を発生する画像発生工程と、
前記発生された画像のうち、前記画像指定手段により指定された画像部分を、前記複数の表示面のうち一の表示面に表示すると共に、前記発生された画像のうち前記一の表示面に表示されない画像部分を、前記複数の表示面のうち他の表示面に表示するように前記立体表示手段を制御する制御工程と
を備えたことを特徴とする表示方法。
【請求項２６】  複数の表示面を有する立体表示手段を備えた表示装置における表示方法であって、
前記立体表示手段に表示する画像を発生する画像発生工程と、
前記発生された画像のうち、所定項目についての判定結果又は条件分岐に基づいて決定された画像部分を、前記複数の表示面のうち一の表示面に表示すると共に、前記発生された画像のうち前記一の表示面に表示されない画像部分を、前記複数の表示面のうち他の表示面に表示するように前記立体表示手段を制御する制御工程と
を備えたことを特徴とする表示方法。